(57)【特許請求の範囲】
【請求項１】
フィルム支持部に支持させたロール状のフィルムが繰り出されるに伴って、前記フィルムの幅方向の端部を切断するフィルム端部切断部と、前記フィルムが繰り出されるに伴って、前記端部にフィルムの長手方向に沿うマークを付与するマーキング部との少なくとも一方を設けてあるフィルム端部処理機構であって、
前記フィルム端部切断部又はマーキング部と、繰り出されてくる前記フィルムの幅方向の端部を前記フィルムの幅方向外方側から受け止めるフィルム受け止め部とを、位置固定状態の支持フレームに、前記フィルムの幅方向に位置変更自在な可動体を介して支持させるように構成し、
前記フィルムが繰り出し中に前記フィルムの幅方向にずれると、前記フィルム受け止め部が前記フィルムに押されて前記幅方向に移動することにより、前記フィルム端部切断部又はマーキング部が、前記フィルムに対して前記フィルムの幅方向に追従移動するよう構成してあるフィルム端部処理機構。
【請求項２】
前記可動体は、前記フィルムの幅方向に沿う棒状に形成して、前記支持フレームにスライドベアリング機構を介してスライド移動自在に支持させてあり、前記フィルム端部切断部又はマーキング部と前記フィルム受け止め部とは、前記可動体にその可動体の長手方向に位置変更調節自在に設けたホルダに設けてある請求項１記載のフィルム端部処理機構。
【請求項３】
ロール状のフィルムを支持するフィルム支持部と、前記フィルム支持部に支持させたロール状のフィルムを繰り出させるフィルム繰り出し機構と、請求項１記載のフィルム端部処理機構とを設けてあるフィルム供給装置。
【発明の詳細な説明】
【０００１】
【発明の属する技術分野】
本発明は、フィルム支持部に支持させたロール状のフィルムが繰り出されるに伴って、前記フィルムの幅方向の端部を切断するフィルム端部切断部と、前記フィルムが繰り出されるに伴って、前記端部にフィルムの長手方向に沿うマークを付与するマーキング部との少なくとも一方を設けてあるフィルム端部処理機構、及びこのフィルム端部処理機構を備えたフィルム供給装置に関する。
【０００２】
【従来の技術】
この種のフィルム供給装置は、例えば、偏光フィルムと位相差フィルムを貼合する光学機能性フィルム製造設備の一部を構成している。
【０００３】
この光学機能性フィルム製造設備による光学機能性フィルムの製造について説明すると、
1)  光学軸がフィルム長手方向に対して平行なロール状の偏光フィルムを、フィルム供給装置のフィルム支持部に支持させておく。
【０００４】
前記偏光フィルムは、幅方向の両端部に帯状のアルミニウム薄板材を重ねた状態でロール状に巻いてある。これは、偏光フィルムの各巻き部分間にごみ等の異物が入り込むのを阻止できるようにするとともに、たとえごみ等を各巻き部分間に巻き込んでいても、ごみ等による押し形が偏光フィルムにつくのを回避することができようにするためである。
【０００５】
2)  ロール状の偏光フィルムをフィルム供給装置のフィルム繰り出し機構で繰り出させる。
【０００６】
3)  フィルムが繰り出されるに伴って、前記偏光フィルムの幅方向の両端部を、フィルム端部処理機構のフィルム端部切断部に設けたカッターで切断する。
【０００７】
あるいは、偏光フィルムの幅方向の両端部を後で廃棄できるように、偏光フィルムの幅方向の端部に、マーキング部のマーカーでフィルム長手方向に沿うマークを付与しておく。
【０００８】
4)  フィルムの繰り出し方向でフィルム供給装置の下手側に配設したフィルム切断装置で平行四辺形の偏光フィルム切り出し体を切り出す。
【０００９】
5)  フィルム切断装置の下手側に配設したフィルム貼合装置で前記平行四辺形の偏光フィルム切り出し体と、光学軸がフィルム長手方向に対して平行な位相差フィルムとを、偏光フィルム切り出し体の切断された側の２辺と、位相差フィルムの両側縁とが各別に沿う状態に貼合する。
【００１０】
従来、上記のフィルム供給装置のフィルム端部処理機構は、フィルム端部切断部やマーキング部を、位置固定状態の支持フレームに固定して構成してあった。
【００１１】
【発明が解決しようとする課題】
フィルム支持部に支持させたロール状の偏光フィルムは、繰り出し中にフィルムの幅方向にずれることがある。
【００１２】
上記従来の構成によれば、フィルム端部切断部やマーキング部を、位置固定状態の支持フレームに固定してあったために、偏光フィルムがフィルムの幅方向にずれると、偏光フィルムの幅方向の端部が、フィルム端部切断部に設けたカッターや、マーキング部に設けたマーカーに対して位置ずれして、前記端部を正確に切断することができなかったり、前記端部に正確にマークを付与することができなかったりするという問題があった。
【００１３】
本発明の目的は、フィルム支持部に支持させたロール状のフィルムが繰り出されるに伴って、フィルムの幅方向の端部を正確に切断したり、前記端部にフィルム長手方向に沿うマークを正確に付与したりすることができるようにする点にある。
【００１４】
【課題を解決するための手段】
請求項１による発明の構成・作用・効果は次の通りである。
【００１５】
［構成］
冒頭に記載したフィルム端部処理機構において、前記フィルム端部切断部又はマーキング部と、繰り出されてくる前記フィルムの幅方向の端部を前記フィルムの幅方向外方側から受け止めるフィルム受け止め部とを、位置固定状態の支持フレームに、前記フィルムの幅方向に位置変更自在な可動体を介して支持させるように構成し、
前記フィルムが繰り出し中に前記フィルムの幅方向にずれると、前記フィルム受け止め部が前記フィルムに押されて前記幅方向に移動することにより、前記フィルム端部切断部又はマーキング部が、前記フィルムに対して前記フィルムの幅方向に追従移動するよう構成してある。
【００１６】
［作用］
フィルムの繰り出し中にフィルムがフィルムの幅方向にずれると、フィルム受け止め部がフィルムによって押され、可動体が位置変更して、フィルム端部切断部又はマーキング部が、フィルムに対してフィルムの幅方向に追従移動する。
【００１７】
つまり、フィルムの繰り出し中にフィルムがフィルムの幅方向にずれても、フィルムの端部に対してフィルム端部切断部やマーキング部が位置ずれすることがない。
【００１８】
［効果］
従って、フィルム支持部に支持させたロール状のフィルムが繰り出されるに伴って、フィルムの幅方向の端部を正確に切断したり、前記端部にフィルム長手方向に沿うマークを正確に付与したりすることができるようになった。
【００１９】
請求項２による発明の構成・作用・効果は次の通りである。
【００２０】
［構成］
請求項１による発明の構成において、前記可動体は、前記フィルムの幅方向に沿う棒状に形成して、前記支持フレームにスライドベアリング機構を介してスライド移動自在に支持させてあり、前記フィルム端部切断部又はマーキング部と前記フィルム受け止め部とは、前記可動体にその可動体の長手方向に位置変更調節自在に設けたホルダに設けてある。
【００２１】
［作用］
フィルムの繰り出し中にフィルムがフィルムの幅方向にずれると、フィルム受け止め部がフィルムによって押され、棒状の可動体が支持フレームに対してフィルムの幅方向にスライド移動し、ホルダに設けたフィルム端部切断部又はマーキング部がフィルムに対してフィルムの幅方向に追従移動する。
【００２２】
つまり、フィルムの繰り出し中にフィルムがフィルムの幅方向にずれても、フィルムの端部に対してフィルム端部切断部やマーキング部が位置ずれすることがない。
【００２３】
また、前記ホルダは可動体にその可動体の長手方向に位置変更調節自在に設けてあるから、幅が異なる複数のフィルムにそれぞれ対応することができる。
【００２４】
［効果］
従って、フィルム支持部に支持させたロール状のフィルムが繰り出されるに伴って、フィルムの幅方向の端部を正確に切断したり、前記端部にフィルム長手方向に沿うマークを正確に付与したりすることができるようになった。
【００２５】
請求項３による発明の構成・作用・効果は次の通りである。
【００２６】
［構成］
ロール状のフィルムを支持するフィルム支持部と、前記フィルム支持部に支持させたロール状のフィルムを繰り出させるフィルム繰り出し機構と、請求項１記載のフィルム端部処理機構とを設けてある。
【００２７】
［作用］
上記構成のフィルム供給装置において、請求項１の構成による作用と同様の作用を奏することができる。
【００２８】
［効果］
従って、上記構成のフィルム供給装置において、請求項１の構成による効果と同様の効果を奏することができた。
【００２９】
【発明の実施の形態】
以下、本発明の実施の形態を図面に基づいて説明する。
図１，図２に、フィルム切り出し部２とフィルム貼合部６から成る光学機能性フィルムの製造設備を示してある。
【００３０】
前記フィルム切り出し部２は、光学軸がフィルムの長手方向に対して平行な偏光フィルム１から平行四辺形の偏光フィルム切り出し体３を切り出す装置で、ロール状の偏光フィルム１をフィルムの長手方向に送る偏光フィルム供給装置７と、この偏光フィルム供給装置７からの偏光フィルム１に対するフィルム切断装置８とから成る。
【００３１】
前記フィルム貼合部６は、偏光フィルム切り出し体３と、光学軸がフィルム長手方向に対して平行な位相差フィルム４とを、偏光フィルム切り出し体３の切断された側の２辺と、位相差フィルム４の両側縁とが各別に沿う状態に貼合して光学機能性フィルムを得る装置である。位相差フィルム４は位相差フィルム繰り出しローラ２８で繰り出させる。２６は位相差フィルム支持台である。
【００３２】
次に、前記フィルム切り出し部２の偏光フィルム供給装置７について説明する。
【００３３】
前記偏光フィルム供給装置７は、ロール状の偏光フィルム１を回転自在に支持する支持体１１（フィルム支持部に相当）を設け、ロール状の偏光フィルム１を挟持して繰り出させる上下一対の偏光フィルム繰り出しローラ１２（フィルム繰り出し機構に相当）を設けて構成してある。
【００３４】
前記偏光フィルム１は、フィルムの幅方向の両端部に帯状のアルミニウム薄板材（図示せず）を重ねた状態でロール状に巻いて、偏光フィルム１の各巻き部分間にごみ等の異物が入り込むのを阻止できるようにするとともに、たとえごみ等を各巻き部分間に巻き込んでいても、ごみ等による押し形が偏光フィルム１につくのを回避できるようにしてある。
【００３５】
前記アルミニウム薄板材は、偏光フィルム１が繰り出されてロール状から直線状になるに伴って、自重により偏光フィルム１から分離して床面側に回収されるが、アルミニウム薄板材を重ねたフィルム部分に押し形がつくことから、前記フィルム部分を切断・廃棄しなければならない。
【００３６】
そこで、偏光フィルム１の幅方向の両端部を切断するフィルム端部処理機構Ａを偏光フィルム供給装置７に設けてある。
【００３７】
図３，図４，図５に示すように、前記フィルム端部処理機構Ａを構成するに、ロール状の偏光フィルム１が繰り出されるに伴って、偏光フィルム１の幅方向の端部を切断するフィルム端部切断部３５と、繰り出されてくる偏光フィルム１の幅方向の端部を偏光フィルム１の幅方向外方側から各別に受け止めるフィルム受け止め部３３とを備えた左右一対のホルダ３４を、位置固定状態の支持フレーム３１に、偏光フィルム１の幅方向に往復位置変更自在なスライドバー３２（棒状の可動体に相当）を介して支持させてある。
【００３８】
前記スライドバー３２は、支持フレーム３１にスライドベアリング機構３６を介してスライド移動自在に支持させてある。
【００３９】
前記ホルダ３４はスライドバー３２の長手方向に位置変更調節自在に（図５参照）、かつ、縦孔３８を介して上下方向に位置変更調節自在に（図４参照）構成してある。
【００４０】
前記フィルム端部切断部３５はホルダ３４に、カッター１４に対するカッター収容溝３９を形成して構成してある。カッター収容溝３９に収容したカッター１４はボルトで固定する。
【００４１】
上記の構造により、偏光フィルム１の繰り出し中に偏光フィルム１がフィルム幅方向にずれると、フィルム受け止め部３３が偏光フィルム１によって押され、スライドバー３２が支持フレーム３１に対してフィルムの幅方向にスライド移動し、ホルダ３４に設けたフィルム端部切断部３５が偏光フィルム１に対してフィルムの幅方向に追従移動する。
【００４２】
つまり、偏光フィルム１の繰り出し中に偏光フィルム１がフィルムの幅方向にずれても、偏光フィルム１の端部に対してフィルム端部切断部３５（のカッター１４）が位置ずれすることがない。
【００４３】
また、前記ホルダ３４はスライドバー３２にそのスライドバー３２の長手方向に位置変更調節自在に設けてあるから、幅が異なる複数の偏光フィルム１にそれぞれ対応することができる。
【００４４】
［別実施形態］
図６に示すように、ロール状の偏光フィルム１が繰り出されるに伴って、偏光フィルム１の幅方向の端部にフィルムの長手方向に沿うマークを付与するマーキング部４０を前記スライドバー３２に設けてあってもよい。図６において３７はマーカーである
前記フィルム端部処理機構Ａは、フィルム端部切断部３５とマーキング部４０のいずれを設けた構造であっても、いずれか一方をだけを設けた構造であってもよい。
【００４５】
本発明は、偏光フィルム１以外のフィルムの端部を処理（切断やマーキング）する場合にも適用することができる。
【図面の簡単な説明】
【図１】光学機能性フィルムの製造設備の正面図
【図２】光学機能性フィルムの製造設備の平面図
【図３】フィルム端部処理機構の平面図
【図４】フィルム端部切断部を示す図
【図５】フィルム端部切断部とフィルム受け止め部を示す図
【図６】別実施形態を示す図
【符号の説明】
１        フィルム
１１        フィルム支持部
１２        フィルム繰り出し機構
３１        支持フレーム
３２        可動体
３３        フィルム受け止め部
３４        ホルダ
３５        フィルム端部切断部
３６        スライドベアリング機構
４０        マーキング部
【図１】
0004606648.tif 000002
【図２】
0004606648.tif 000003
【図３】
0004606648.tif 000004
【図４】
0004606648.tif 000005
【図５】
0004606648.tif 000006
【図６】
0004606648.tif 000007